(57)【要約】 【課題】郵便受け、ロッカー、点検ボックス等の常設箱体の扉のガタ付き防止。【解決手段】郵便受け、ロッカー、点検ボックス等の常設箱体と、この箱体の開閉扉に取り付けられたカムロック錠との組み合わせから成るカムロック錠における扉のガタ付き防止装置であって、箱体の一側壁側に楔係合部を設け、一方、施錠時に楔係合部に係着する可動係合片の基端部を、カムロック錠の回転作動軸に取付け、該可動係合片は、先端部側に楔係合部の傾斜縁に摺接しながら内側に変位する弾接部分を有することを特徴とするカムロック錠における扉のガタ付き防止装置。【選択図】図２
2007239294.tif 000002
【特許請求の範囲】
【請求項１】
郵便受け、ロッカー、点検ボックス等の常設箱体と、この箱体の開閉扉に取り付けられたカムロック錠との組み合わせから成るカムロック錠における扉のガタ付き防止装置であって、前記箱体の一側壁側に楔係合部を設け、一方、施錠時に前記楔係合部に係着する可動係合片の基端部を、前記カムロック錠の回転作動軸に取付け、該可動係合片は、先端部側に前記楔係合部の傾斜縁に摺接しながら内側に変位する弾接部分を有することを特徴とするカムロック錠における扉のガタ付き防止装置。
【請求項２】
請求項１に於いて、楔係合部は、箱体の一側壁に直接形成された前後に傾斜縁を有する係合孔であり、一方、可動係合片の弾接部分は、平面視、少なくとも一つ以上の折り曲げ部を有することを特徴とするカムロック錠における扉のガタ付き防止装置。
【請求項３】
請求項１に於いて、箱体は、ガスメータ、電気メータ、制御ボックス等の点検ボックスであり、一側壁側は、戸枠であることを特徴とするカムロック錠における扉のガタ付き防止装置。
【発明の詳細な説明】
【技術分野】
【０００１】
本発明は、カムロック錠における扉のガタ付き防止装置に関する。
【背景技術】
【０００２】
特許文献１には、カムロック錠の一例が記載されている。このカムロック錠は、主に仮設トイレ、仮設ハウス等の箱体（部屋）に対する錠の管理を目的とし、必要な場合に仮設用箱体（例えば仮設トイレ）の扉をロックすることができるように、箱体の外面、内面、側面等の壁面に固定した各種形状の受板をそれぞれ介して、箱体側の一側壁に脱着自在に取付けられる。
【０００３】
付言すれば、このカムロック錠は、その錠本体が扉を開く際の「障害物」となり、扉の施錠をする必要がなくなり、錠本体を箱体の壁面の固定部材（受板）から取り外したい場合には、合鍵を操作して、錠本体を解錠状態にすると、合鍵の操作力によって解錠方向へと回転する内筒のカム足（作動軸の突出部のこと）が、解錠位置へと位置変位し、その結果、固定部材内に設けた球体を含むロック子が、前記カム足が固定部材から抜けるのを許容する。
【０００４】
上記構成のカムロック錠は、合鍵や錠本体を紛失した場合であっても、別の錠本体を箱体の壁面に固定部材を介して取付ける便利さがあるものの、仮設トイレ、仮設ハウス等の仮設用箱体の扉を対象とするものであるから、常設タイプの箱体、例えば郵便受け、ロッカー、点検ボックス等の箱体の扉には適さない。
【０００５】
また、特許文献１の発明の目的は、扉を開く際の「障害物」となる脱着錠前を提供することであり、扉を閉じた際に、当該扉が開閉方向へ「ガタ付く」のを防止することを目的とするものではない。
【特許文献１】特開平８−３１２２１６号公報
【発明の開示】
【発明が解決しようとする課題】
【０００６】
本発明の第１の目的は、郵便受け、ロッカー、点検ボックス等の常設箱体の扉のガタ付き防止を図ることである。第２の目的は、部品点数を少なくして第１の目的を達成することができることである。
【課題を解決するための手段】
【０００７】
本発明のカムロック錠における扉のガタ付き防止装置は、郵便受け、ロッカー、点検ボックス等の常設箱体と、この箱体の開閉扉に取り付けられたカムロック錠との組み合わせから成るカムロック錠における扉のガタ付き防止装置であって、前記箱体の一側壁側に楔係合部を設け、一方、施錠時に前記楔係合部に係着する可動係合片の基端部を、前記カムロック錠の回転作動軸に取付け、該可動係合片は、先端部側に前記楔係合部の傾斜縁に摺接しながら内側に変位する弾接部分を有することを特徴とする。ここで「弾接部分」には、復帰変位する弾発性部材や復帰変位する弾性体も含む。
【発明の効果】
【０００８】
（１）郵便受け、ロッカー、点検ボックス等の常設箱体の扉のガタ付き防止を図ることができる。
（２）請求項２に記載の発明は、部品点数を少なくして第１の目的を達成することができる。
【発明を実施するための最良の形態】
【０００９】
以下、図１乃至図５に示す本発明を実施するための最良の形態（第１実施例）により説明する。
【００１０】
（１）発明の実施の環境
図１に於いて、まず、１は郵便受け、ロッカー、点検ボックス等の常設箱体である。図１では説明の便宜上、箱体１の一側壁２の一部分と開閉扉３の自由端部３ａを示している。
【００１１】
図示しない開閉扉３の一端部は、蝶番を介して、箱体１の他方の側壁に枢着されている。したがって、４は箱体１の開口部である。箱体１は、例えば左右、上下、後方（奥）にそれぞれ側壁を有し、前方（手前）の開口部４は、開閉扉３が矢印Ａ方向へ回転すると開口する。
【００１２】
次に、１０は開閉扉３の自由端部３ａに取付け孔、固着具等を介して適宜に取付けられたカムロック錠である。本発明の扉のガタ付き防止装置Ｘは、箱体１と、この箱体１の開閉扉３に取り付けられたカムロック錠１０との組み合わせから成る。
【００１３】
（２）主要部の構成の説明
図２は扉のガタ付き防止装置Ｘの主要部を示す概略説明図である。図３はカムロック錠１０の概略説明図である。
【００１４】
図２、図３に於いて、１は箱体、２は箱体の一側壁（例えば左側壁）である。
まず、５は一側壁２の開口部４側に形成された楔係合部、６は楔係合部を形成する前後の傾斜縁、７は楔係合部の長い上縁、８は楔係合部の短い下縁である。図２から明らかなように、本実施例の楔係合部５は、箱体１の一側壁２に直接形成された逆台形状の係合孔である。
【００１５】
また、９は扉３の自由端部３ａに形成されたカムロック錠１０用の取付け孔で、この取付け孔９の縁部９ａにカムロック錠１０の頭部１０ａ側に周設した環状溝１１が係合する。
【００１６】
次に、カムロック錠１０の構成について簡単に説明する。本実施例のカムロック錠１０は、頭部１０ａの環状溝１１付近に扉３の自由端部３ａの内壁面に添設状態となる取付け板１２が固定され、該取付け板１２の一端部１２ａは内側に折り曲げ形成されている。
【００１７】
カムロック錠１０の内部構造に関しては、周知事項なので、詳細な図面は割愛する。カムロック錠１０は、例えば円板状或いはピン状の可動障害子を内蔵する内筒１３、この内筒に外嵌合する外筒１４と、前記内筒１３に直接又は間接的に設けられ、鍵、外部摘み、差込み自在の操作片等の操作手段Ｋの操作力により、内筒１３と共に所定量回転する作動軸（駆動杆）１５とを備えている。操作手段Ｋは、本実施例では、合鍵Ｋが用いられている。作動軸１５は外筒１４の端面１４ａから突出している。
【００１８】
次に、カムロック錠１０の後端部１０ｂ側に取付けられた可動係合片２１について説明する。本実施例では、カムロック錠１０の作動軸１５の突出端部に可動係合片２１の基端部２１ａが止め片、固着具等を介して適宜に取り付けられている。例えば可動係合片２１は、その基端部２１ａに不番の取付け孔を形成し、Ｃ字形状の止め具２２等を介して作動軸１５に適宜に固定されている。
【００１９】
しかして、長板状の可動係合片２１は、先端部側２１ｂに、箱体１の楔係合部５の傾斜縁６，６に摺接しながら内側に変位する折り曲げ状の弾接部分２３を有する。この弾接部分２３は、平面視、少なくとも一つ以上のＶ字形状折り曲げ部を有する。実施例のバネ性弾接部分２３は、長板状の基端部２１ａの先端部分を含む中間部のＶ字形状第１折り曲げ部２４と、この第１折り曲げ部２４に連続すると共に、該第１折り曲げ部２４に対して反対方向へ曲げられたＶ字形状第２折り曲げ部２５とから成る。
【００２０】
（３）主要部の作用
図４及び図５を参照にして、主要部の作用を説明する。図４は扉を閉めた場合の可動係合片２１の位置を示す。カムロック錠１０の解錠時、可動係合片２１は垂直状態である。
図５は、キーをカムロック錠１０のキー穴に挿入して矢印で示す施錠方向（図では反時計方向）へ回した場合を示す。図５で示すように、楔係合部５の長い上縁７の横幅Ｗは、可動係合片２１の弾接部分２３の横幅Ｗ１よりも大きいから、弾接部分２３は、当初、楔係合部５の前後の傾斜縁６，６に対して余裕（間隙）を持って入り込む。
【００２１】
一方、可動係合片２１の弾接部分２３の横幅Ｗ１は、逆に楔係合部５の短い下縁８の横幅Ｗ２よりも大きいから、そのまま可動係合片２１が施錠方向へ回り続けると、途中で、その弾接部分２３の第１折り曲げ部２４及び第２折り曲げ部２５の各外の部位が前後の傾斜縁６，６に同時に当たるので、弾接部分２３は下方へ移行するにしたがって弾発力が増し、かつ、内側に変位しながら摺動する。
【００２２】
付言すると、弾接部分２３の楔係合部５との間に摩擦力（両者間に生じる楔作用）により、弾接部分２３が内側に押し込まれる状態となるので、弾接部分２３は、少なくとも施錠位置では、傾斜縁６，６に圧接した状態で内側に変位する（弾性変形機能）。これにより、本発明の目的を達成することができる。
【００２３】
なお、キーを解錠方向へ操作して、可動係合片２１が時計方向に回った場合、弾接部分２３は楔係合部５の前後の傾斜縁６，６から解放されるので、材質自体の復帰力により、元の状態に戻る（弾性変形復帰機能）。
【実施例】
【００２４】
第１実施例に於いて、常設箱体１には、郵便受け、ロッカー等の他、壁に設けたガスメータ、電気メータ、制御ボックス、消火器ボックス等の点検ボックスも含む。箱体１が点検ボックスの場合には、いわゆる点検口を形成する戸枠に扉３が取り付けられていることから、箱体の一側壁側の楔係合部は、前記戸枠の縦枠に形成される。
【００２５】
また、操作手段Ｋは、本実施例では、合鍵Ｋが用いられているが、点検ボックスの用途如何によっては合鍵Ｋが不要な場合もあるので、そのような場合は、内筒１３の外面に設けられた摘み、内筒の軸穴に差込み自在の操作片が適宜に用いられる。
また、第１実施例では、部品点数を少なくするために、楔係合部５は、箱体１の一側壁２に直接形成されているが、一側壁の内壁面に適宜に固定される取付け片に楔係合部５を形成し、該取付け片を介して（間接的に）扉側の可動係合片２１を係着させても良い。
【００２６】
さらに、図６に、第１実施例の可動係合片２１と実質的に同一のもの、又は均等のものを列挙する。
【００２７】
図６（ａ）に示した可動係合片２１Ａは、平面視、弾接部分２３のＶ字形状折り曲げ部が「一つ」の例である。なお、矢印は、楔係合部５の前後の傾斜縁６，６が当たる旨を概略的に示している。以下、同じ。
【００２８】
図６（ｂ）に示した可動係合片２１Ｂは、平面視、弾接部分２３が直角方向に折り曲げられた箇所と、さらに、その先端部が内側に鋭角方向に折り曲げられた箇所とを有し、その端面全体が、例えば板バネ式クリップ形状に形成されている。
【００２９】
図６（ｃ）に示した可動係合片２１Ｃは、弾接部分２３の平面視の形状が一つのＶ字形状ではなく、一つの下向きＪ字形状或いはフック形状に形成されている。
【００３０】
図６（ｄ）に示した可動係合片２１Ｄは、基端部側の板状本体２１ａと、この本体２１ａの先端部に固定された一つの弾接部分２３とから成る。付言すれば、可動係合片２１Ｄは二物品から成る。
【００３１】
図６（ｅ）に示した可動係合片２１Ｅは、図６（ｄ）の可動係合片２１Ｄと同様に、基端部側の板状本体２１ａと、この本体２１ａの先端部に固定された一つの弾接部分２３とから成るものであるが、該弾接部分２３は、弾性変位及び弾性変位復帰機能を有する材質（例えばゴム）で鉞状に形成されている。したがって、弾接部分２３は弾性体である。
【００３２】
図６（ｆ）に示した可動係合片２１Ｆは、弾接部分２３が図６（ｂ）の可動係合片２１Ｂのそれと同様に形成されているが、端面鉤状の内部空間に単数又は複数個のコイルバネ２６が固定的に設けられている。
【００３３】
したがって、特に図示しないが、ストライクに相当する箱体１の一側壁側の楔係合部５の形状は、前記図６（ａ）〜（ｆ）に示した可動係合片２１Ａ〜２１Ｆの各弾接部分２３の形状に対応して、所要の形状（逆台形、逆三角形、野球のベース形状、若葉マーク形状等）に形成される。
【００３４】
このように、可動係合片２１を設計変更しても、第１実施例と同一の目的を達成することができる。
【産業上の利用可能性】
【００３５】
本発明は、主に建具や錠前の業界で利用される。
【図面の簡単な説明】
【００３６】
図１乃至図５は本発明の最良の実施例を示す各説明図（第１実施例）。
【図１】実施の環境を示す概略説明図。
【図２】主要部の分解斜視図。
【図３】カムロック錠の概略説明図。
【図４】解錠時の概略説明図。
【図５】施錠時の概略説明図。
【図６】図６（ａ）〜（ｆ）は、本発明の可動係合片の設計変更の列挙例を示す各説明図。
【符号の説明】
【００３７】
Ｘ…扉のガタ付き防止装置、１…箱体、２…一側壁（戸枠も含む）、３…開閉扉、３ａ…自由端部、４…開口部、５…楔係合部、６…前後の傾斜縁、７…楔係合部の長い上縁、８…楔係合部の短い下縁、９…取付け孔、１０…カムロック錠、１０ａ…頭部、１０ｂ…後端部、１１…環状溝、１２…取付け板、１３…内筒、１４…外筒、Ｋ…鍵、１５…作動軸、２１、２１Ａ〜２１Ｆ…可動係合片、２１ａ…基端部、２１ｂ…先端部、２３…弾接部分、２４…第１折り曲げ部、２５…第２折り曲げ部。
【図１】
2007239294.tif 000003
【図２】
2007239294.tif 000004
【図３】
2007239294.tif 000005
【図４】
2007239294.tif 000006
【図５】
2007239294.tif 000007
【図６】
2007239294.tif 000008